(57)【要約】【課題】表示装置において、外観の意匠的な品位を確保しつつ、サービス時やリペア時の作業性を改善し、しかも筐体としての強度を高めることのできるカバー取り付け構造およびその組み立て方法を提供することである。【解決手段】この発明の表示装置１は、突起部３３ａおよびねじが締め付けられることのできるねじ穴３３−１を有し、表示パネル１１を保持する内部シャーシ３３と、シャーシの突起部と係合される孔３１ａが設けられ、シャーシに向かって押しつけられることで突起部と係合する可撓性のフック３１ａを有し、シャーシおよび表示パネルの表示面側を覆う前面カバー３１と、シャーシのねじ穴に締め付けられるねじによりシャーシに、前面カバーと反対の側から前面カバーとシャーシの突起部とが係合された位置を覆うとともに、シャーシに固定される後側カバー３５と、を有する。【選択図】  図２
2006106632.tif 000002
【特許請求の範囲】
【請求項１】
信号に対応する情報を表示する表示面を有する表示パネルと、
突起部およびねじが締め付けられることのできるねじ穴を有し、前記表示パネルを保持するシャーシと、
前記シャーシの前記突起部と係合される孔が設けられ、前記シャーシに向かって押しつけられることで前記突起部と係合する可撓性のフック部を有し、前記シャーシおよび前記表示パネルの前記表示面側を覆う前面カバーと、
前記前面カバーと反対の側から、前記前面カバーの前記フック部と前記シャーシの前記突起部とが係合された位置を覆うとともに、前記シャーシの前記ねじ穴に締め付けられるねじにより、前記シャーシに固定される後側カバーと、
を有すること特徴とする表示装置。
【請求項２】
前記フック部は、前記前面カバーと一体に形成されることを特徴とする請求項１記載の表示装置。
【請求項３】
前記前面カバーは、前記フック部よりも外側に位置される外装部を有することを特徴とする請求項１または２記載の表示装置。
【請求項４】
前記突起部は、前記シャーシの母材から打ち抜かれ、所定の方向に折り曲げられていることを特徴とする請求項１ないし３のいずれかに記載の表示装置。
【請求項５】
前記突起部は、前記前面カバーの前記孔の位置を規定する基準面を有することを特徴とする請求項１ないし４のいずれかに記載の表示装置。
【請求項６】
前記突起部は、前記前面カバーの前記孔の長手方向に沿って２分割されて折り曲げられていることを特徴とする請求項５記載の表示装置。
【請求項７】
前記突起部は、前記前面カバーの前記フックが押しつけられる際の抵抗を抑止する構造を有することを特徴とする請求項５または６記載の表示装置。
【請求項８】
信号に対応する情報を表示する表示面を有する表示パネルと、
所定形状の開口部、およびねじが締め付けられることのできるねじ穴を有し、前記表示パネルを保持するシャーシと、
前記シャーシの前記開口部と係合される突起部が設けられ、前記シャーシに向かって押しつけられることで前記開口と係合する可撓性のフック部を有し、前記シャーシおよび前記表示パネルの前記表示面側を覆う前面カバーと、
前記前面カバーと反対の側から前記前面カバーの前記フック部と前記シャーシの前記開口部とが係合された位置を覆うとともに、前記シャーシの前記ねじ穴に締め付けられるねじにより、前記シャーシに固定される後側カバーと、
を有すること特徴とする表示装置。
【請求項９】
前記前面カバーは、前記フック部よりも外側に位置される外装部を有することを特徴とする請求項８記載の表示装置。
【請求項１０】
前記開口部は、前記シャーシの母材から打ち抜かれ、所定の方向に折り曲げられていることを特徴とする請求項８または９記載の表示装置。
【請求項１１】
前記突起部は、前記前面カバーの前記孔の位置を規定する基準面を有することを特徴とする請求項８ないし１０のいずれかに記載の表示装置。
【発明の詳細な説明】
【技術分野】
【０００１】
この発明は、表示装置に係わり、特に入力信号に対応する画像や文字列を表示する平面型の表示装置に関する。
【背景技術】
【０００２】
外部から信号を受信し、または記録媒体により供給される画像情報や文字列を表示する表示装置においては、表示装置の軽量化や設置スペースの低減の要求から、ＬＣＤ（液晶表示装置）を用いるものが普及している。
【０００３】
この種の表示装置においては、前面カバーのデザイン（意匠）の多様化ならびに外観上の特徴として、ねじ類の使用数を極力抑えた構造が好まれている。
【０００４】
例えば、板金等で構成されるシャーシと、シャーシに背面が支持される液晶ディスプレイパネルと、これらを収容する筐体を構成する前面カバーとしての光透過性枠体および後部カバーと、前面下部カバーと、前面下部中央カバーと、シャーシを介して筐体全体を水平面内での旋回およびチルト動作が可能なように支持するスタンド部とで構成された情報表示装置がある。なお、後部カバーは、複数の固定ねじでシャーシに固定される。前面カバーとしての光透過性枠体は、上辺部および下辺部に設けられた係合構造で、シャーシに嵌合される。また、上辺部の係合爪は、後部カバーにも嵌合される（例えば、特許文献１参照）。
【特許文献１】特開２００１−１００６５０号公報
【発明の開示】
【発明が解決しようとする課題】
【０００５】
上記特許文献１に記載の情報表示装置においては、前面カバーを外すには、複雑な手順と、熟練が必要となる。特に、嵌合部のうちの外側から目視できない部分を、同時に複数箇所、取り外さなければならない問題がある。
【０００６】
また、前面カバーとしての光透過性枠体の係合爪は、外観部品である後側カバーと嵌合することから、後側カバーを取り外す際に、後側カバーに傷を生じさせる虞れがある。
【０００７】
なお、ねじを用いない構造をとすることにより、背面方向から見た場合の意匠的な品位が高められるが、リペア時やサービス時における分解作業性が低下するとともに、多くの場合、専用工具やそれに準じたものが必要となる。
【０００８】
また、意匠的な品位を優先することでねじを用いない構造とする場合には、筐体の剛性が得られにくくなることが予想される。
【０００９】
この発明の目的は、表示装置において、外観の意匠的な品位を確保しつつ、サービス時やリペア時の作業性を改善し、しかも筐体としての強度を高めることのできるカバー取り付け構造およびその組み立て方法を提供することである。
【課題を解決するための手段】
【００１０】
この発明は、信号に対応する情報を表示する表示面を有する表示パネルと、突起部およびねじが締め付けられることのできるねじ穴を有し、前記表示パネルを保持するシャーシと、前記シャーシの前記突起部と係合される孔が設けられ、前記シャーシに向かって押しつけられることで前記突起部と係合する可撓性のフック部を有し、前記シャーシおよび前記表示パネルの前記表示面側を覆う前面カバーと、前記シャーシの前記ねじ穴に締め付けられるねじにより前記シャーシに、前記前面カバーと反対の側から、前記前面カバーと前記シャーシの前記突起部とが係合された位置を覆うとともに、前記シャーシに固定される後側カバーと、を有すること特徴とする表示装置を提供するものである。
【発明の効果】
【００１１】
本発明によれば、表示装置において、前面カバーを、表示パネルを支持する内部シャーシに一体に形成した突起に係合可能な孔を有するフックを用いて内部シャーシに固定するとともに、内部シャーシにねじにより固定される後側カバーに隠れる係合構造により、ディスプレイ本体に装着する構造としたことで、意匠的な品位が要求される前面カバーの側から視認されるねじおよびその導入構造をなくすことができる。
【００１２】
また、この発明によれば、表示装置において、前面カバーと内部シャーシとの係合部分は、ねじを外すことで容易に外すことのできる後側カバーに覆われることにより、外装としての品位を確保しつつ、サービス時やリペア時の作業性が向上できる。
【００１３】
さらに、この発明によれば、表示装置において、筐体としての強度を高めることが可能で、しかも製造コストが低減される。
【発明を実施するための最良の形態】
【００１４】
以下、図面を参照して、この発明の実施の形態について詳細に説明する。
【００１５】
図１は、この発明が適用される画像表示装置の一例を示す。
【００１６】
図１に示す画像表示装置１は、例えばＬＣＤ（液晶表示装置）を表示パネル１１として収容したディスプレイ本体３およびディスプレイ本体３と一体に、あるいはディスプレイ本体３が装着可能に形成された記録再生ユニット５を有する。記録再生ユニット５は、情報の記録と、その記録済み情報の再生が可能で、例えばＤＶＤ規格の光ディスクに情報を記録し、あるいは既に情報が記録されている光ディスクから情報を再生するディスクドライブユニット５ａ、記録再生ユニット５の動作状態や時刻等が表示可能な動作表示部５ｂおよび図示しないリモートコントローラからの制御信号を受け付け、例えば主電源のオン／オフや予約録画モード、あるいは編集モード等の設定に利用されるリモコン制御部５ｃ等を有する。
【００１７】
ディスプレイ本体３は、図２に示すように、表示パネル１１の外側であって、動作時に前面（ユーザから視認される）側となる前面カバー３１、表示パネル１１を支持する筐体（内部シャーシ）３３、前面カバー３１と一体に組み立てられることで内部シャーシ３３（表示パネル１１）を前面カバー３１との間の空間に収容する後側カバー３５を有する。
【００１８】
前面カバー３１、内部シャーシ３３および後側カバー３５のいづれか、または組み立てられた状態の所定の位置には、図示しないが、記録再生ユニット５とディスプレイ本体３とを一体化するために利用される接続部が設けられている。なお、ディスプレイ本体３と記録再生ユニット５とが別体に形成される場合には、接続部に代えて、ディスプレイ本体３を自立可能とする脚部が設けられる。
【００１９】
前面カバー３１には、内部シャーシ３３との接続に用いられる複数のフック３１ａが設けられている。それぞれのフック３１ａは、前面カバー３１がディスプレイ本体３として組み立てられた状態で最外部すなわち外装部となる部分の内側に、内部シャーシ３３の周囲を取り巻くように形成され、前面カバー３１の強度を高める内縁部（符号なし）に一体に形成されている。なお、フック３１ａおよび内縁部は、以下に説明する後側カバー３５が固定される際に、後側カバーの内部に隠れるように形成されている。また、フック３１ａには、図３を用いて後段に詳述するように、内部シャーシの突起部と係合される孔（矩形）が形成されている。さらに、フック３１ａには、その厚さ（や抜き勾配）等が最適化されることで、所定の可撓性が与えられている。
【００２０】
内部シャーシ３３には、前面カバー３１の対応するフック３１ａと係合する複数の突起３３ａが設けられている。それぞれの突起３３ａは、前面カバー３１の個々のフック３１ａの位置と整合された所定の位置および個数に、内部シャーシ３３に用いられる板金部材と一体に形成される。すなわち、個々の突起３３ａは、例えば内部シャーシ３３の母材である板金部材の切り抜きと折り曲げとにより、形成されている。なお、内部シャーシ３３には、以下に説明する後側カバー３５の固定に用いられる図示しないねじが締め付け可能に形成されたねじ穴３３−１が、複数箇所、設けられている。このねじ穴３３−１も突起３３ａと同様に、内部シャーシ３３の母材（板金部材）の切り抜きと折り曲げとにより、形成されている。
【００２１】
後側カバー３５には、内部シャーシ３３（表示パネル１１）に設けられたねじ穴３３−１に図示しないねじを案内するとともに、後側カバー３５を内部シャーシ３３に、強固に固定可能とすることによりディスプレイ本体３の剛性を高めるための構造体を兼ねるねじ導入孔３５−１が設けられている。
【００２２】
図２に示した構成によれば、前面カバー３１および後側カバー３５は、表示パネル１１を支持した内部シャーシ３３に、前後方向から固定される。なお、前面カバー３１には、図示しないねじを案内するためのねじ導入孔、またはそれに類似した形状が現れることがなく、意匠的な品位の高い外装が容易に提供可能である。
【００２３】
図３（ａ）および図３（ｂ）は、前面カバー３１のフック３１ａ（図２の［Ａ］部）と内部シャーシ３３の突起３３ａ（図２の［Ａ´］部）との係合（嵌め合わせ）を説明している。なお、個々のフックおよび突起においては、同一の係合関係が認められるので、１組のみ代表させて説明する。
【００２４】
図３（ａ）に示す通り、内部シャーシ３３の突起３３ａに向けて矢印で示す方向に前面カバー３１を押し込むことで、フック３１ａの先端（自由端）が突起３３ａに衝突する。フック３１ａは、前面カバー３１と一体であるが、突起３３ａに接触された状態でさらに（突起３３ａ側に）スライドされることで自身の可撓性により突起３３ａを乗り越える。図示しないが、この場合フック３１ａは、図２に示した前面カバー３１の外装部側へ僅かに広がることになる。
【００２５】
突起３３ａを乗り越えたフック３１ａは、さらに（突起３３ａ側に）押し込まれることで、突起３３ａの先端と僅かに接しながら、所定形状、例えば矩形の孔３１ｂが突起３３ａを相対的に超える位置まで移動される。フック３１の孔３１ｂが完全に突起３３ａを超える位置まで押し込まれると、孔３１ｂに突起３３ａが挿入される位置で、フック３１ａが元の形状（広がりのない状態）に復帰する。従って、フック３１ａは、図３（ｂ）に示すように、内部シャーシ３３の突起３３ａの回りに、位置される（嵌め合わせられる）。
【００２６】
このとき、孔３１ｂのフック３１ａの先端（自由端）側の稜線３１ｃを含む面は、内部シャーシ３３の突起３３ａと接触されることで、基準位置（あたり）として機能する。従って、フック３１ａの位置は、稜線３１ｃを含む面と突起３３ａの前面カバー３１の全体部分から離れた側の面を基準として、図３（ｂ）に示すように、位置決めされる。
【００２７】
なお、突起３３ａは、内部シャーシ３３の一部を切り欠いて（打ち抜いて）形成される孔３３ｂから内部シャーシ３３と同一の板金を起こす（折り曲げる）ことにより、容易に製造可能であり、少なくとも材料コストの面では、コストの増大を考慮する必要がない。また、突起３３ａは、内部シャーシ３３と一体であるから、前面カバー３１が装着される際に変形したり、内部シャーシ３３自体を歪ませることもない。
【００２８】
一方、表示パネル１１のリペアや、ディスプレイユニット３にサービスが必要となった場合、図２に示した後側カバー３５のねじ３５−１を外し、後側カバー３５を取り外すことで、内部シャーシ３３の突起３３ａに係合された状態の前面カバー３１が露出される。この状態で、フック３１ａの自由端を、内部シャーシ３３の突起３３ａとの係合から解放することは、非常に容易であり、しかも特別な工具も要求されることはない。もちろん、前面カバー３１の露出している外装部に、後側カバー３５を取り外すために、不所望に傷が生じることもない。
【００２９】
図４は、図２および図３に示した前面カバーのフックと内部シャーシの突起の形状の別の実施を示す。
【００３０】
図４に示すように、内部シャーシ３３の突起３３３（図３との識別のため「３００」を加えている）ａは、前面カバー３１のフック３１ａの稜線３１ｃを含む面と接する領域が内部シャーシ３３を板金加工により切り出す（切り欠く）際の端面３３３ｂが伸びる方向と直交する方向に、内部シャーシ３３に沿って２つに分割されて折り曲げられてもよい。
【００３１】
この方法によれば、突起３３３ａ（２個）と係合されるフック３１ａの位置、すなわち前面カバー３１の位置は、突起３３３ａを板金加工時のプレス（打ち抜き）工程の精度でばらつきが決定される端面３３３ｂにより規定されることから、量産時に前面カバー３１の位置のばらつきが生じにくい。図２および図３により説明した例では、前面カバー３１の位置は、突起３３ｂの折り曲げ位置に依存して規定されるが、図４に示すこの構造は、特に量産時に、前面カバー３１の位置を一定の条件で規定できる。
【００３２】
なお、図４においては、２つの突起３３３ａは、開口３３３ｂの中央から端部方向に折り曲げられているが、その逆に、端部方向から折り曲げられる形状であってもよいことはいうまでもない。
【００３３】
上述の形状（打ち抜き方向）によれば、前面カバー３１のフック３１ａを突起３３３ａに向けて押し込む際の抵抗を抑えるために、例えば突起３３３ａの前面カバー３１寄りの端面に、任意の曲率（曲線成分）３３３ｃを与えることができる。従って、前面カバー３１を装着する際の工程（押しつけ力）は、一層低減される。
【００３４】
また、図４に示す方法によれば、２つの突起３３３ａの間隔を最適化することにより、フック３１ａの孔３１ｂの長手方向の大きさに関連して前面カバー３１のがたつきを抑止可能な基準面３３３ｄが形成されることから、前面カバー３１のがたつきを抑えることが容易となる。
【００３５】
すなわち、この方法によれば、情報を表示する表示パネル１１を、突起部３１ａおよびねじが締め付けられることのできるねじ穴３３−１が設けられたシャーシ３３に固定し、シャーシの突起部と係合される孔３１ａが設けられた可撓性の複数のフック部３１を有する前面カバー３１をシャーシに向かって押しつけ、突起部とフックとを係合させて表示パネルの表示面側を覆う前面カバーをシャーシに固定し、シャーシのねじ穴に締め付けられるねじによりシャーシに、前面カバーと反対の側から前面カバーとシャーシの突起部とが係合された位置を覆うように、後側カバー３５を固定する、という工程で、剛性が高く、前面から見た状態で意匠的な品位の高い（前面からねじ穴が見えない）外装カバーを表示装置に取り付ける方法が達成される。この場合、フック３１は、前面カバー３１の外装部の内側に規定されることから、フックおよび突起が前面から視認されることはない。
【００３６】
しかも、突起３３ａは、シャーシ３３の母材から打ち抜かれ、所定の方向に折り曲げられることから、部品コストが増大されることもない。
【００３７】
なお、図５に示す通り、内部シャーシ５３３に開口５３３ａが設けられ、前面カバー５３１にフック５３１ａの先端（自由端）に突起部５３１ｂが設けられてもよいことはいうまでもない。
【００３８】
また、図６に示す通り、内部シャーシ７３３側を突起７３３ａとし、前面カバー７３１のフック７３１ａの先端（自由端）も突起部７３１ｂとしても同様の効果が得られる。
【００３９】
以上説明したように、前面カバーを、表示パネルを支持する内部シャーシに一体に形成した突起に係合可能な孔を有するフックを用いて内部シャーシに固定するとともに、内部シャーシにねじにより固定される後側カバーに隠れる係合構造により、ディスプレイ本体に装着する構造としたことで、意匠的な品位が要求される前面カバーの側から視認されるねじおよびその導入構造をなくすことができる。
【００４０】
また、前面カバーと内部シャーシとの係合部分は、ねじを外すことで容易に外すことのできる後側カバーに覆われることにより、外装としての品位を確保しつつ、サービス時やリペア時の作業性を損なうことはない。しかも、前面カバーを内部シャーシとの係合から解放することに、特別な工具が要求されることもなく、非常に容易である。
【００４１】
さらに、後側カバーは、内部シャーシにねじにより固定されることから、ディスプレイ本体としての剛性も向上される。。
【００４２】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００４３】
【図１】この発明が適用される表示装置の形状の特徴の一例を説明する概略図。
【図２】図１に示した表示装置の前面カバー／後側カバーの取り付け（固定）構造の一例を示す概略図。
【図３】図２に示した表示装置の前面カバーの取り付け方法の一例を示す概略図。
【図４】図２に示した表示装置の前面カバーの取り付け方法の別の一例を示す概略図。
【図５】図２に示した表示装置の前面カバーの取り付け方法のさらに別の一例を示す概略図。
【図６】図２に示した表示装置の前面カバーの取り付け方法のまたさらに別の一例を示す概略図。
【符号の説明】
【００４４】
１…表示装置、３…ディスプレイ本体、５…記録再生ユニット、１１…表示パネル、３１…前面カバー、３１ａ…フック、３１ｂ…（矩形）孔、３１ｃ…（基準となる稜線を含む）基準面、３３…内部シャーシ（筐体）、３３ａ…突起、３３ｂ…打ち抜き穴、３３３ａ…突起、３３３ｂ…基準位置、３３３ｃ…曲線成分、３３３ｄ…（がたつき抑止）基準面、５３１ｂ…突起内（フック側）、５３３ａ…開口（シャーシ側）、７３１ｂ…突起（フック側）、７３３ａ…突起（シャーシ側）。
【図１】
2006106632.tif 000003
【図２】
2006106632.tif 000004
【図３】
2006106632.tif 000005
【図４】
2006106632.tif 000006
【図５】
2006106632.tif 000007
【図６】
2006106632.tif 000008